(57)【特許請求の範囲】
【請求項１】
シャッターボックスに格納されているとともに、このシャッターボックスから繰り出されて建物の開口部の前面を遮蔽、開放するシャッターカーテンと、このシャッターカーテンの左右端部が摺動自在に係合し、前記開口部の前面を遮蔽、開放する前記シャッターカーテンの開閉動作を案内するための左右一対のガイドレールとを含んで構成されている建物用シャッターの手動式開閉装置であって、前記シャッターカーテンの最下部の水切り部材の内部と前記左右一対のガイドレールのうちの一方のガイドレールの内部とに挿通された細長部材を備え、この細長部材の一端が前記一方のガイドレールの長手方向の途中からこの一方のガイドレールの外部に露出していて前記細長部材が引っ張り可能となっているとともに、前記細長部材の他端は他方のガイドレールの内部に連結されていることを特徴とする建物用シャッターの手動式開閉装置。
【請求項２】
請求項１に記載の建物用シャッターの手動式開閉装置において、前記一方のガイドレールの長手方向途中から外部に露出した前記細長部材の一端は不動部材に連結され、前記細長部材には、この一端よりも前記一方のガイドレール側の部分であってこの一方のガイドレールから露出した部分において、前記細長部材を引っ張り操作するための操作部材が設けられていることを特徴とする建物用シャッターの手動式開閉装置。
【請求項３】
請求項２に記載の建物用シャッターの手動式開閉装置において、前記細長部材が前記一方のガイドレールの外部に露出するガイドレール長手方向途中位置と、前記細長部材の他端が前記他方のガイドレールの内部に連結されている連結位置とは、ガイドレール長手方向の中央位置またはほぼ中央位置であることを特徴とする建物用シャッターの手動式開閉装置。
【発明の詳細な説明】
【０００１】
【発明の属する技術分野】
本発明は、建物用シャッターを手動で開閉操作するための装置に係り、主に、手動式建物用シャッターに利用できるものである。
【０００２】
【背景技術】
建物に設けられた出入口や窓等の開口部の前面を遮蔽、開放するための建物用シャッターは、この開口部の上部に配設されたシャッターボックスと、このシャッターボックスに格納され、多数のスラットの連設によって形成されているシャッターカーテンと、開口部の左右に配設されてシャッターカーテンの左右端部が上下摺動自在に係合し、開口部の前面を遮蔽、開放するシャッターカーテンの開閉動作である上下動を案内するための左右一対のガイドレールとを含んで構成されている。
【０００３】
この建物用シャッターが手動式であって、開口部の上下寸法が手の届かない大きいものである場合に、全開となっているシャッターカーテンを閉じるときには、従来、シャッターカーテンの最下部部材である水切り部材に形成されている孔にフック棒の先端を係合し、このフック棒の引き下げ操作によりシャッターカーテンを下降させることが行われ、あるいは、水切り部材の左右方向中央位置にロープの一端を結合してこのロープを垂下させ、ロープを下に引っ張ることによりシャッターカーテンを下降させていた。
【０００４】
【発明が解決しようとする課題】
フック棒を使用する方法によると、シャッターカーテンを閉じるときに水切り部材の孔にフック棒の先端を係合する作業を行わなければならず、この作業は、開口部の上下寸法が大きいときに難しいという問題があり、また、上下寸法が異なる開口部に取り付けられた各種の建物用シャッターのために、長さが異なる複数のフック棒を予め用意しておかなければならないという問題もあり、さらに、フック棒でシャッターカーテンを閉じるときにシャッターカーテンの真下に行かなければならないため、水切り部材に雨のしずくや泥水が付着しているときに、これらで身体が汚れるという問題もあった。
【０００５】
また、ロープを使用する方法によると、シャッターカーテンを全閉にしたときに、ロープが地面に触れるためロープが汚れることになり、このため、このロープを引っ張り操作する手も汚れるという問題があった。
【０００６】
本発明の目的は、フック棒を使用しなくてもシャッターカーテンの開閉を行え、また、シャッターカーテンの開閉を手等が汚れずに簡単に行えるようになる建物シャッターの手動式開閉装置を提供するところにある。
【０００７】
【課題を解決するための手段】
本発明に係る建物用シャッターの手動式開閉装置は、シャッターボックスに格納されているとともに、このシャッターボックスから繰り出されて建物の開口部の前面を遮蔽、開放するシャッターカーテンと、このシャッターカーテンの左右端部が摺動自在に係合し、前記開口部の前面を遮蔽、開放するシャッターカーテンの開閉動作を案内するための左右一対のガイドレールとを含んで構成されている建物用シャッターの手動式開閉装置であって、シャッターカーテンに接続状態とされた細長部材を備え、この細長部材が左右一対のガイドレールのうちの少なくとも一方のガイドレールの内部に挿通され、この細長部材の端部が前記一方のガイドレールの外部に露出していて細長部材が引っ張り可能となっていることを特徴とするものである。
【０００８】
この手動式開閉装置によると、前記一方のガイドレールから露出している細長部材を引っ張ると、この細長部材はシャッターカーテンに接続状態となっているため、シャッターカーテンはガイドレールに沿って移動して開閉動作し、この開閉動作をフック棒を使用せずに簡単に行わせることができる。また、引っ張り操作される細長部材は、前記一方のガイドレールの内部に挿通されてこのガイドレールから外部に露出しているため、シャッターカーテンが全閉あるいは全開となっても細長部材が地面に触れない構成とすることができ、このため、シャッターカーテンの開閉を手等が汚れずに行わせることができる。
【０００９】
以上において、前記一方のガイドレールから露出した細長部材を引っ張るためには、この細長部材に引っ張り操作部材を設け、この操作部材を握って引っ張り操作できるようにしてもよく、また、ガイドレールやガイドレールの近くに回転操作されるハンドル等の回転部材を設け、この回転部材に細長部材の端部を結合して回転部材の回転操作により細長部材を巻き取り可能とし、この巻き取りで細長部材を引っ張るようにしてもよい。
【００１０】
細長部材の具体例は、例えば、ワイヤーであり、また、細長部材は小径のロープでもよく、チェーンでもよい。
【００１１】
また、細長部材をシャッターカーテンと接続状態にするためには、細長部材をシャッターカーテンに結合してもよく、あるいは、細長部材をシャッターカーテンの内部に挿通してその端部をシャッターカーテン以外の部材、例えば、細長部材が外部に露出する前記一方のガイドレールとは別のガイドレールに結合し、これにより、前記一方のガイドレールの外部に露出した細長部材を引っ張るとシャッターカーテンが開閉動作するようにしてもよく、要するに、ガイドレールの外部に露出した細長部材を引っ張ると、この引っ張り力がシャッターカーテンに作用してシャッターカーテンに開閉力が生ずればよい。
【００１２】
ここで述べた前者と後者のうち、後者の具体例は、細長部材を、シャッターカーテンの最下部の水切り部材の内部と、左右一対のガイドレールのうちの一方のガイドレールの内部とに挿通し、細長部材の一端をこの一方のガイドレールの長手方向の途中から外部に露出させるとともに、細長部材の他端を他方のガイドレールの内部に連結することである。
【００１３】
この構成によると、細長部材の大部分をシャッターカーテンやガイドレールの内部に隠すことができて外観を良好にできるとともに、一方のガイドレールの外部に露出した細長部材を引っ張ると、水切り部材を介してシャッターカーテン全体に引っ張り力が作用することになり、シャッターカーテン全体を確実に開閉動作させることができる。
【００１４】
このような構成を採用したときにも、一方のガイドレールの外部に露出した細長部材を引っ張るためには、この細長部材に引っ張り操作部材を設け、この操作部材を握って引っ張り操作できるようにしてもよく、また、ガイドレールやガイドレールの近くに回転操作されるハンドル等の回転部材を設け、この回転部材に細長部材の端部を結合して回転部材の回転操作により細長部材を巻き取り可能とし、この巻き取りで細長部材を引っ張るようにしてもよい。
【００１５】
前者の構成とした場合には、一方のガイドレールの外部に露出した細長部材の前記一端に前記引っ張り操作部材を固定的に設け、この操作部材を引っ張るようにしてもよく、また、細長部材の前記一端を不動部材である建物や前記一方のガイドレール等に連結し、細長部材には、この一端よりも前記一方のガイドレール側の部分であってこの一方のガイドレールから露出した部分において、細長部材を引っ張り操作するための操作部材を設けるようにしてもよい。
【００１６】
細長部材の前記一端を不動部材に連結するようにした後者によると、この一端が浮動することはなく、この一端の近くに設けられた操作部材を操作すればよいため、操作を容易、確実に行えるようになる。
【００１７】
このように細長部材の一端を建物に連結した場合には、細長部材が前記一方のガイドレールの外部に露出するガイドレール長手方向途中位置と、細長部材の前記他端が前記他方のガイドレールの内部に連結された連結位置とを、ガイドレール長手方向の中央位置またはほぼ中央位置とすることが好ましい。
【００１８】
このようにすると、シャッターカーテンの全閉位置からの開き動作と全開位置からの閉じ動作とを操作部材の引っ張り操作で行えるようになるとともに、シャッターカーテンを全閉位置および全開位置まで所定通り移動させることができるようになる。
【００１９】
以上において、細長部材は１本でもよいが、２本としてもよい。細長部材を２本とした場合には、シャッターカーテンと、このシャッターカーテンの左右に一対設けられたガイドレールとに２本の細長部材を左右対称的に配設すればよい。
【００２０】
これによると、ガイドレールの外部に露出した細長部材は、左右両方のガイドレールごとに設けられることになるため、片側のガイドレールの近くに物品が置かれているなどの理由により、このガイドレール側で細長部材を引っ張り操作できなくても、他方のガイドレール側から細長部材を引っ張り操作できるようになり、本発明に係る手動式開閉装置は左右両方のガイドレール側で選択的に操作可能となる。
【００２１】
また、以上のように細長部材を１本または２本とした場合に、細長部材におけるガイドレールから露出して引っ張り操作される部分を建物の室外側に配置してもよく、また室内側に配置してもよい。さらに、細長部材が２本の場合に、１本の細長部材におけるガイドレールから露出して引っ張り操作される部分を室外側に配置し、他の１本の細長部材におけるガイドレールから露出して引っ張り操作される部分を室内側に配置してもよい。さらにまた、細長部材の端部を二股に分岐し、一方の端部を室外側に配置し、他方の端部を室内側に配置してもよい。
【００２２】
本発明に係る手動式開閉装置は、手動式の建物用シャッターに適用できることはもちろんであるが、自動式建物用シャッターにおいて、モータや開閉機等の故障でシャッターカーテンが開閉動作しなくなったときに、これらのモータや開閉機等のブレーキを解除してから本発明に係る手動式開閉装置で開閉させるようにしてもよい。すなわち、本発明に係る手動式開閉装置は、自動式建物用シャッターに故障時の補助装置として付設してもよい。
【００２３】
【発明の実施の形態】
以下に本発明に係る一実施形態を図面に基づいて説明する。図１は、本実施形態に係る手動式開閉装置１０を備えた建物用シャッター１のシャッターカーテン全閉時の正面図で、図２は、シャッターカーテンの開閉途中時を、図３は、シャッターカーテンの全開時をそれぞれ示している。
【００２４】
建物用シャッター１は手動式のもので、この建物シャッター１は、建物に形成されている開口部２の上部に取り付けられたシャッターボックス３と、開口部２の両側に垂直に固定された左右一対のガイドレール４，５とを備え、シャッターボックス３の内部には、開口部２の前面を遮蔽、開放するシャッターカーテン６の巻き取りと繰り出すを行う巻き取り部７が配置され、この巻き取り部７に巻き取られてシャッターボックス３に格納されるシャッターカーテン６は、多数連設されたスラット８と、最下部の水切り部材９とを含んで形成されている。
【００２５】
シャッターカーテン６の左右端部６Ａはガイドレール４，５の内部に摺動自在に挿入係合され、シャッターカーテン６はこれらのガイドレール４，５で案内されて開閉動作である上下動を行うようになっている。また、巻き取り部７には、シャッターカーテン６の繰り出し時にばね力が蓄圧されるリターンスプリングが組み込まれているため、シャッターカーテン６を上昇させるときに、シャッターカーテン６を軽く押し上げるだけで、シャッターカーテン６はリターンスプリングの蓄圧されたばね力で上昇し、そして巻き取り部７に巻き取られてシャッターボックス３に格納されるようになっている。
【００２６】
前記手動式開閉装置１０は、水切り部材９の内部と左右のガイドレール４，５の内部とに挿通された細長部材であるワイヤー１１を含んで構成されている。図４は、図１のガイドレール４と水切り部材９の部分を拡大した拡大図で、図５は、図４のV−V線断面図である。図５に示されているように、水切り部材９の内部には水切り部材９の全長に亘る空洞部１２が設けられ、この空洞部１２に可撓性の長寸筒状部材１３が配置され、この筒状部材１３の両方の端部１３Ａは、ガイドレール４側を示している図４で分かる通り、ガイドレール４，５の内部に挿入係合されている水切り部材９の両方の端部９Ａに設けられた孔１４から水切り部材９の外部に突出しており、このような筒状部材１３の内部に挿入されながらワイヤー１１は、シャッターカーテン６の最下部部材である水切り部材９の内部に挿通され、ワイヤー１１は筒状部材１３で案内されながら移動自在になっている。
【００２７】
水切り部材９のガイドレール４側の端部９Ａから突出したワイヤー１１は、図１に示されているように、ガイドレール４の内部を上向きに延び、その端部１１Ａは、ガイドレール４の長手方向の途中においてガイドレール４の内部に連結されている。図４、および図４のVII−VII線断面図である図７には、この端部１１Ａの連結状態が示されている。ガイドレール４には正面からボルト１５が挿入され、ガイドレール４の内部に突出しているボルト１５の軸部はワイヤー１１のループ部となっている端部１１Ａに挿入され、この軸部にナット１６が螺合されて締め付けられることにより、ワイヤー１１の端部１１Ａはガイドレール４の内部に連結されている。
【００２８】
他方のガイドレール５の内部には、ガイドレール５の長手方向途中において、図６に示されている通り、上下一対のローラ１７，１８が回転自在に配置されており、水切り部材９のガイドレール５側の端部から外部に突出したワイヤー１１は、図１で示されているようにガイドレール５の内部を上向きに延びているとともに、図６のこれらのローラ１７と１８の間に通され、さらに、図６のVIII−VIII線断面図である図８に示されているように、ガイドレール５の側面に形成された孔１９からガイドレール５の外部へ導出されている。
【００２９】
ガイドレール５の側面には、ローラ１７，１８と同じ高さにおいて、図６で示されたブラケット２０で回転自在に支持された上下一対のローラ２１，２２が設けられ、ブラケット２０にはガイドレール５の孔１９と連通する図８の孔２３が形成されており、ワイヤー１１はこれらの孔１９，２３を貫通してローラ２１と２２の間に通されている。ワイヤー１１の端部１１Ｂは図６で示されたループ部となっており、このループ部には、前記開口部２が形成されている建物におけるガイドレール５の近くの躯体に螺入されるボルト２４の軸部が挿入され、そしてボルト２４は締め付けられるため、ワイヤー１１の端部１１Ｂは不動部材である建物に連結されている。
【００３０】
ワイヤー１１には、この端部１１Ｂよりもガイドレール５側の部分であってガイドレール５の側面のローラ２１，２２から露出した部分において、ワイヤー１１を下向きに引っ張り操作するための操作部材２５が設けられている。この操作部材２５は、ワイヤー１１における端部１１Ｂとローラ２１，２２との間のＵ字状部１１Ｃが摺動自在に挿通されたＵ字状貫通孔２５Ａを有し、また、手を挿入することができて操作部材２５を握ることができる把持用開口部２５Ｂを有する。
【００３１】
以上において、ガイドレール４の内部に連結されたワイヤー１１の端部１１Ａの高さ位置と、ローラ１７と１８、２１と２２に案内されてワイヤー１１がガイドレール５の外部に露出する高さ位置とは同じに設定され、この高さ位置は、図１に示す通り、前記シャッターボックス３の下面から延びるガイドレール４，５の長さＨの中央位置Ｈ／２である。
【００３２】
図１のようにシャッターカーテン６が全閉となっているときに、シャッターカーテン６を上昇させるためには、操作部材２５を握り、この操作部材２５を押し下げる。これにより、端部１１Ａがガイドレール４の内部に連結されているワイヤー１１には引っ張り力が生じ、このワイヤー１１は水切り部材９の内部に挿通されていてシャッターカーテン６と接続状態になっているため、ワイヤー１１がガイドレール５から露出し始めてシャッターカーテン６とガイドレール４，５の内部に隠れているワイヤー１１の長さが短くなるに伴い、シャッターカーテン６は上昇する。この上昇は、操作部材２５の押し下げの継続により、水切り部材９内におけるワイヤー１１の高さがワイヤーの端部１１Ａの高さと同じになるまで行わせることができる。この高さになったときの状態が図２に示されている。
【００３３】
この後、シャッターカーテン６を手で軽く押し上げると、前記巻き取り部７のリターンスプリングのばね力でシャッターカーテン６は上昇してシャッターボックス３に格納され、建物用シャッター１は図３の全開状態となる。このときには、ワイヤー１１はシャッターカーテン６とガイドレール４，５の内部に再び侵入し、操作部材２５は元の高さに戻っている。
【００３４】
全開となっているシャッターカーテン６を閉じるとき、シャッターカーテン６を上昇させるときと同じく、操作部材２５の押し下げ操作を行う。これにより、ワイヤー１１はシャッターカーテン６とガイドレール４，５から露出し始めてシャッターカーテン６は下降し、この下降は、水切り部材９内におけるワイヤー１１の高さがワイヤー１１の端部１１Ａの高さと同じになるまで行わせることができる。この後、シャッターカーテン６を手や足等で押し下げることにより、全閉とすることができる。
【００３５】
以上説明した本実施形態によると、シャッターカーテン６の開閉動作をフック棒を使用せずに行えるようになり、開口部２の上下寸法が異なる建物に取り付かれる各種の建物用シャッターのために、長さが相違する複数のフック棒を用意する必要がなくなり、これらの各種の建物用シャッターに対してワイヤー１１の長さを変えるだけで対応できる。
【００３６】
また、シャッターカーテン６の開閉動作は、ガイドレール５の長手方向途中から外部に露出したワイヤー１１を操作部材２５で引っ張り操作することにより行えるため、シャッターカーテン６の最下部の水切り部材９が雨水や泥等で汚れていても、水切り部材９に手を直接触らずにこの開閉動作を行え（図２の半開状態のシャッターカーテン６を上昇させるとき、あるいは下降させるときは、水切り部材９よりも上部のスラット７等を触って行えばよい）、身体が汚れることはない。
【００３７】
また、ワイヤー１１は端部１１Ａがガイドレール４の内部に連結されて水切り部材９の全長に挿通されているため、操作部材２５を押し下げ操作すると、ワイヤー１１の引っ張り力はシャッターカーテン６の全体に上昇力または下降力となって作用することになり、このため、シャッターカーテン６の全閉からの開き動作、全開からの閉じ動作を確実に行わせることができる。
【００３８】
さらに、ワイヤー１１の端部１１Ａとは反対側の端部１１Ｂは建物に連結されていて浮動しておらず、ワイヤー１１を引っ張るために押し下げ操作される操作部材２５は、この端部１１Ｂよりもガイドレール５側のワイヤー１１部分に設けられていて、操作部材２５のガイドレール５からの横方向位置は常に一定になっているため、この操作部材２５の押し下げを簡単、確実に行える。
【００３９】
また、シャッターカーテン６の全閉時または全開時には、ワイヤー１１の大部分は水切り部材６とガイドレール４，５の内部に隠れていて外部に表れないため、外観を良好とすることができる。
【００４０】
さらに、ガイドレール４の内部に連結されたワイヤー１１の端部１１Ａの高さ位置と、ローラ１７と１８、２１と２２に案内されてワイヤー１１がガイドレール５の外部に露出する高さ位置とは、ガイドレール４，５の長手方向の中央位置であるため、ワイヤー１１の移動によりシャッターカーテン６を確実に全閉から全開へ、全開から全閉へ開閉動作させることができる。
【００４１】
なお、シャッターカーテン６の全閉時、全開時に、図６に示されているように、ローラ２１，２２から操作部材２５までの間に上下の間隔があると、シャッターカーテン６を図２の半開状態にするまで操作部材２５を真っ直ぐ垂直に押し下げた場合、操作部材２５は地面に接触することになるが、操作部材２５を横方向または前方の斜め下向きに押し下げることにより、操作部材２５を地面に接触させずにシャッターカーテン６を図２の状態にすることができる。
【００４２】
また、ガイドレール４の内部に連結されたワイヤー１１の端部１１Ａの高さ位置と、ローラ１７と１８、２１と２２に案内されてワイヤー１１がガイドレール５の外部に露出する高さ位置とが、ガイドレール４，５の長手方向の正確な中央位置ではなく、ほぼ中央位置であっても、シャッターカーテン６の全閉時または全開時にローラ２１，２２から操作部材２５までの間に上下の間隔を生ずるようにしておくと、シャッタカーテン６を確実に全閉から全開へ、全開から全閉へ開閉動作させることができる。
【００４３】
したがって、ガイドレール４の内部に連結されたワイヤー１１の端部１１Ａの高さ位置と、ローラ１７と１８、２１と２２に案内されてワイヤー１１がガイドレール５の外部に露出する高さ位置とを、必ずしもガイドレール４，５の長手方向の正確な中央位置とする必要はない。
【００４４】
【発明の効果】
本発明によると、フック棒を使用しなくてもシャッターカーテンの開閉を行えるようになり、また、シャッターカーテンの開閉を手等が汚れずに簡単に行えるようになる。
【図面の簡単な説明】
【図１】本発明の一実施形態に係る手動式開閉装置を備えた建物用シャッターを示すシャッターカーテン全閉時の正面図である。
【図２】図１の建物用シャッターのシャッターカーテン開閉途中時の正面図である。
【図３】図１の建物用シャッターのシャッターカーテン全開時の正面図である。
【図４】図１の一部拡大図で、一方のガイドレールとシャッターカーテンの水切り部材の部分を示す正面図である。
【図５】図４のV−V線断面図である。
【図６】図１の一部拡大図で、操作部材の周辺を示す正面図である。
【図７】図４のVII−VII線断面図である。
【図８】図６のVIII−VIII線断面図である。
【符号の説明】
１  建物用シャッター
２  開口部
３  シャッターボックス
４，５  ガイドレール
６  シャッターカーテン
９  水切り部材
１０  手動式開閉装置
１１  細長部材であるワイヤー
１１Ａ，１１Ｂ  ワイヤーの端部
２５  操作部材
【図１】
0003775539.tif 000002
【図２】
0003775539.tif 000003
【図３】
0003775539.tif 000004
【図４】
0003775539.tif 000005
【図５】
0003775539.tif 000006
【図６】
0003775539.tif 000007
【図７】
0003775539.tif 000008
【図８】
0003775539.tif 000009